(57)【要約】【課題】複数種類の幅のテープ巻芯に対応し、斜めに引き出しても支持台側に寄らないテープカッター用テープ支持体及びテープカッターを提供する。【解決手段】テープカッター用テープ支持体５０，５０Ａ，５０Ｂは、板状に形成されて、一方縁部にはテープ巻芯を支持する巻芯支持部５１ａが設けられ、巻芯支持部５１ａの基端部Ｇ１と巻芯支持部５１ａの先端部Ｇ２とを結ぶ直線は、先端部に向かうにつれ、前方に傾斜するように形成されるテープ支持体本体５１，５１Ａ，５１Ｂと、を有し、巻芯支持部５１ａは、巻芯幅調整部を備える。【選択図】  図４
2020066526.tif 000002
【特許請求の範囲】
【請求項１】
板状に形成されて、一方縁部にはテープ巻芯を支持する巻芯支持部が設けられ、該巻芯支持部の基端部と該巻芯支持部の先端部とを結ぶ直線は、先端部に向かうにつれ、前方に傾斜するように形成されるテープ支持体本体を有し、
前記巻芯支持部は、巻芯幅調整部を備えることを特徴とするテープカッター用テープ支持体。
【請求項２】
前記巻芯幅調整部は、凹円弧状部を備えることを特徴とする請求項１に記載のテープカッター用テープ支持体。
【請求項３】
前記巻芯幅調整部は、直線部と該直線部よりも幅の広い前記テープ巻芯を支持する該テープ巻芯の幅方向と平行な第２直線部を備えることを特徴とする請求項２に記載のテープカッター用テープ支持体。
【請求項４】
前記凹円弧状部は、前記直線部と前記第２直線部との間に形成されることを特徴とするは請求項３に記載のテープカッター用テープ支持体。
【請求項５】
前記凹円弧状部と前記直線部及び前記第２直線部との接続部は、段状に形成されることを特徴とする請求項４に記載のテープカッター用テープ支持体。
【請求項６】
ベース部と、
前記ベース部の後方側に形成されて、請求項１乃至請求項５の何れか記載のテープカッター用テープ支持体が対向配置されるテープ支持部と、
前記テープ支持部と離間して前記ベース部の前方側に前記ベース部から立設する横断面楕円形状の刃台支持部と、該刃台支持部の上端前方部から立設して上端部に刃を備える刃台と、を有する刃台部と、
を有することを特徴とするテープカッター。
【発明の詳細な説明】
【技術分野】
【０００１】
本発明は、テープカッター用テープ支持体及びテープカッターに関する。
【背景技術】
【０００２】
従来から、巻芯に粘着テープが巻装される形態のテープについて、複数種類の幅のテープ巻芯が提供されている。一方、該テープを回転自在に保持し、テープを切断する切断刃を備えるテープカッターについては、複数種類の幅のテープに対応してテープを保持できる構造が提供されている。
【０００３】
例えば、特許文献１には、板状に形成されるテープ支持体が支持台に対向して配置されて、テープ支持体の後側の縁部が先端部に亘ってテープ支持体の板幅が幅狭となるよう傾斜して形成されるテープカッターが開示される。該テープ支持体は弾発して設けられて、テープ支持体を倒すことでテープの挿入・取り外しを行うことができる。特許文献１のテープカッターは、テープの巻芯がテープ支持体の縁部に当接して支持されることで、幅の異なるテープに対応する。
【先行技術文献】
【特許文献】
【０００４】
【特許文献１】実用新案登録第３１１７７７６号公報
【発明の概要】
【発明が解決しようとする課題】
【０００５】
特許文献１のテープカッターでは、テープを斜めに引き出すとテープ支持体に接しているテープ巻芯が斜めに引き出す力により支持台側に寄ってしまうため不安定であった。
【０００６】
本発明は、複数種類の幅のテープ巻芯に対応し、斜めに引き出しても支持台側に寄らないテープカッター用テープ支持体及びテープカッターを提供することを目的とする。
【課題を解決するための手段】
【０００７】
本発明に係るテープカッター用テープ支持体は、板状に形成されて、一方縁部にはテープ巻芯を支持する巻芯支持部が設けられ、該巻芯支持部の基端部と該巻芯支持部の先端部とを結ぶ直線は、先端部に向かうにつれ、前方に傾斜するように形成されるテープ支持体本体を有し、前記巻芯支持部は、巻芯幅調整部を備えることを特徴とする。
【０００８】
本発明に係るテープカッターはベース部と、前記ベース部の後方側に形成されて、請求項１乃至請求項５の何れか記載のテープカッター用テープ支持体が対向配置されるテープ支持部と、前記テープ支持部と離間して前記ベース部の前方側に前記ベース部から立設する横断面楕円形状の刃台支持部と、該刃台支持部の上端前方部から立設して上端部に刃を備える刃台と、を有する刃台部と、を有することを特徴とする。
【発明の効果】
【０００９】
本発明によれば、複数種類の幅のテープ巻芯に対応し、斜めに引き出しても支持台側に寄らないテープカッター用テープ支持体及びテープカッターを提供することができる。
【図面の簡単な説明】
【００１０】
【図１】本発明の実施形態に係るテープカッターを示す斜視図である。
【図２】本発明の実施形態に係るテープカッターについての図であり、（ａ）は平面図であり、（ｂ）は（ａ）のＩＩｂ−ＩＩｂ断面図である。
【図３】本発明の実施形態に係るテープカッターの側面図である。
【図４】本発明の実施形態に係るテープカッターのテープ支持体を示す図であり、（ａ）は斜視図であり、（ｂ）はテープ支持体の配置状態を示す平面図である。
【図５】本発明の実施形態に係るテープカッターのテープ支持体の変形例１を示す図であり、（ａ）は斜視図であり、（ｂ）はテープ支持体の配置状態を示す平面図である。
【図６】本発明の実施形態に係るテープカッターのテープ支持体の変形例２を示す図であり、（ａ）は斜視図であり、（ｂ）はテープ支持体の配置状態を示す平面図である。
【発明を実施するための形態】
【００１１】
以下、図に基づいて、本発明の実施形態を説明する。図１に示すテープカッター１は、長尺状の横断面略楕円形状のベース部１０にテープ支持部２０と、刃台部３０が形成される。なお、以下の説明においては、テープ支持部２０側を後方、刃台部３０側を前方として、後方から前方を見て右側を右、左側を左、図１における上下を上、下として説明する。また、「横断面」とは、特に断りのない限り、ベース部１０の底面と水平な面による断面をいう。
【００１２】
ベース部１０に形成されるテープ支持部２０の後端は蒲鉾状の穴とされるペン立穴部２１が形成される。ペン立穴部２１から前方には、所定の間隔で対向してペン立穴部２１から前方に延設される支持板２２ａ間にテープ配置部２２が形成される。テープ配置部２２における底部の面２２ｂは、図２（ｂ）にも示す通り、凹円弧状に形成される。
【００１３】
図２（ａ），（ｂ）に示すように、テープ支持部２０は、対向して配置されるテープ支持体５０を備える。テープ支持体５０については、詳細を後述する。また、図示しないが、ベース部１０の内部には、テープカッター１にセットしたテープの引出しの際にテープカッター１が容易に動かないようにコンクリート等の錘が設けられる。
【００１４】
ベース部１０の前方側には、所定の空間４０を隔てて、テープ支持部２０と離間して刃台部３０が形成される。テープ支持部２０の前下端から刃台部３０の基部に亘る空間４０の底部は、ベース部１０に向けて抉れるように形成される。
【００１５】
図１〜図３に示すように、刃台部３０は、ベース部１０から立設する刃台支持部３１を備える。刃台支持部３１は、横断面を略楕円状に形成される。刃台支持部３１においてテープ支持部２０と対向する面（換言すれば、所定の空間４０側の面）は、内側凸曲面３１ａとされる。内側凸曲面３１ａは、横断面において一定の曲率の凸曲面で形成される。一方、刃台支持部３１における内側凸曲面３１ａの反対側の外側凸曲面３１ｂは、横断面がほぼ平坦な凸曲面とされる外側先端部分３１ｂ１と、外側先端部分３１ｂ１に対して両側に配置される凸曲面である両端側部分３１ｂ２からなる。両端側部分３１ｂ２の曲率は、外側先端部分３１ｂ１の曲率よりも大きく形成される。刃台支持部３１における内側凸曲面３１ａと外側凸曲面３１ｂとの接続部には、上下方向に略エッジ状の稜線３１ｃが現れる。刃台支持部３１は、上方に向かって窄まるテーパ状に形成される。
【００１６】
刃台支持部３１の上端前方部には、上端部に刃３２を備える刃台３３が立設する。刃台支持部３１の上端後方から刃台３３の基部に掛けて（換言すれば、空間４１の底部）は、側面視凹曲面状に形成される。刃台３３においてテープ支持部２０と対向する面は横断面において凸円弧状の内側凸曲面３３ａとされる。平面視における内側凸曲面３３ａの曲率は、刃台支持部３１の内側凸曲面３１ａの曲率よりも小さい。刃台３３の内側凸曲面３３ａの反対側の面である外側面３３ｂは、刃台支持部３１の外側凸曲面３１ｂから刃３２に亘って窪むように略傾斜面状に形成される。また、刃３２を支持する刃台３３における刃３２の両側の端部３３ｃは、頂部を外側に向けた平面視略三角形状に形成される。
【００１７】
このように形成されるテープカッター１は、例えば、本棚のような棚に収納することができる。このとき、テープカッター１のテープ支持部２０を奥側にして、刃台部３０を手前側にして収納する。テープカッター１は、親指と、親指以外の指４本で刃台部３０を握るようにしてテープカッター１を棚から取り出すことができる。ここで、前から手を伸ばして持った時に、親指以外の指４本が触れる刃台部３０の刃台支持部３１の内側凸曲面３１ａが円弧状に形成され、親指の付け根が当たる外側凸曲面３１ｂの外側先端部分３１ｂ１が略平坦であり、親指が当たる両端側部分３１ｂ２が曲面とされるので、刃台部３０は握り易い。そして、刃台部３０は左右対称に形成されるので、右手でも左手でも容易に刃台部３０を握ることができる。そして、刃台支持部３１がテーパ状であるので、さらに握り易い形状とされる。なお、テープ支持部２０と刃台部３０との間の所定の空間４０は、親指以外の４本（又は３本）の指が挿入できる程度の空間とされていればよい。
【００１８】
また、刃台支持部３１の上端前方に刃台３３が形成され、刃台３３の後方は空間４１が形成される。従って、テープ支持部２０から引き出されたテープが刃３２に架けられた状態において、刃３２に近い後方側の空間４１に、例えば人差し指を挿入して、容易にテープを引き出すことができる。すなわち、刃３２に近い後方側に空間４１が形成されるので、テープを引き出す際におけるテープ先端から親指と人差し指でテープを摘まんだ位置までの長さを短くすることができるので、テープ引出しの際に意図しないところにテープを貼り付けてしまう等の不具合を低減することができる。また、テープの先端からテープの根本までの距離を短くでき、刃台支持部３１とテープ支持部２０との間を短くでき、小型化できる。
【００１９】
前述の通り、テープ支持部２０には、テープ支持体５０が対向して２個配置される。テープ支持体５０は、図４（ａ）に示すように、板状のテープ支持体本体５１と、回動軸５２と、板バネ５３，５４が形成される。テープ支持体本体５１は、一方側の縁部を巻芯支持部５１ａとされ、テープの巻芯が支持される部位とされる。巻芯支持部５１ａと対向する他方側の縁部５１ｂは直線状に形成される。
【００２０】
テープ支持体本体５１の巻芯支持部５１ａが回動軸５２と接続している基端部Ｇ１と巻芯支持部５１ａの先端部Ｇ２とを結ぶ直線Ｌ１（図４（ｂ）参照）と、他方側の縁部５１ｂの平面視における外形線である直線Ｌ２と、の幅Ｗ１は、先端部Ｇ２に向かって幅狭するように、直線Ｌ１，Ｌ２は共にテーパ状とされる。すなわち、直線Ｌ１は、先端部Ｇ２に向かうにつれ、前方に傾斜するように形成される。
【００２１】
巻芯支持部５１ａは、基端部Ｇ１から先端部Ｇ２方向に向けて直線状に傾斜する直線基端部５１ａ１と巻芯幅調整部５１０とが形成される。巻芯幅調整部５１０は、第２直線部５１ａ２と、凹円弧状部５１ａ３と、直線部５１ａ４と、を備える。巻芯幅調整部５１０により、テープ巻芯の幅に応じて巻芯支持部５１ａで支持するテープ巻芯の幅が調整されて、複数種類の幅のテープ巻芯を支持することができる。直線基端部５１ａ１に隣接して設けられる第２直線部５１ａ２は、直線基端部５１ａ１と段状に接続され、回動軸５２の軸心に対して略直交する直線状に形成される。第２直線部５１ａ２に隣接する凹円弧状部５１ａ３は、平面視凹円弧状で凹曲面として形成される。凹円弧状部５１ａ３に隣接する直線部５１ａ４は、先端部Ｇ２に向けて、回動軸５２の軸心に対して略直交する直線状に形成される。直線部５１ａ４は、凹円弧状部５１ａ３と段状に接続する。
【００２２】
テープ支持体５０は、回動軸５２から回動軸５２の径方向に広がるように板バネ５３，５４が延設される。板バネ５３，５４は、テープ支持体本体５１が回動軸５２から突出する方向と同じ方向に向けて凸となるよう湾曲して形成されて、板バネ５３，５４の先端近傍は略平坦に形成される。テープ支持体５０は、図２（ｂ）に示すように、回動軸５２と板バネ５３，５４の一部がテープ支持部２０の支持板２２ａの内部に配置されて、回動に伴って弾発するよう設けられる。テープ支持体５０の回動軸５２は、前方に向けて登る方向に傾斜して配置される。
【００２３】
このようにして、テープ配置部２２には、対向配置されるテープ支持体５０のテープ支持体本体５１が突出するように配置される。テープ配置部２２の支持板２２ａの内壁に形成される穴部２２ｃにより、テープ支持体５０は保持される。図２（ｂ）にも示すように、テープ支持体５０は、巻芯支持部５１ａが後側で、縁部５１ｂが前側となるよう配置される。
【００２４】
テープ配置部２２へのテープの配置は、テープをテープ支持体５０のテープ支持体本体５１に押し当てて板バネ５３の付勢力に抗して押し込むと、テープ支持体５０は回動軸５２を軸として下方に向けて回動する。テープ支持体本体５１がテープの巻芯内径に位置すると、テープ支持体５０は板バネ５３の復元力により元の状態に復帰する。すると、テープ支持体５０は、テープ先端が刃３２に貼着することで巻芯支持部５１ａによりテープの巻芯を支持することができる。
【００２５】
一方、テープを使い切り、もしくは使用途中でテープの巻芯をテープ配置部２２から取り出す場合には、巻芯内面とテープ支持体本体５１とを当接させて巻芯を引っ張ることにより板バネ５４の付勢力に抗して回動軸５２を軸としてテープ支持体５０を上方に向けてテープ支持体５０が回動する。巻芯をテープ配置部２２から取り出すと、板バネ５４の復元力によりテープ支持体５０は元の状態に復帰する。
【００２６】
テープ支持体５０は、複数種類のテープ幅に対応する。本実施形態においては、テープ支持体５０は、２４ｍｍ，１８ｍｍ，１５ｍｍ，１２ｍｍの各テープ幅のテープ巻芯に対応する。図４（ｂ）に示すように、テープ幅が２４ｍｍのテープ巻芯Ｔ２４（二点鎖線で示す、以下同様）は、第２直線部５１ａ２に支持されるように配置される。テープ幅が１８ｍｍのテープ巻芯Ｔ１８及びテープ幅が１５ｍｍのテープ巻芯Ｔ１５は、共に凹円弧状部５１ａ３に支持される。テープ幅が１２ｍｍのテープ巻芯Ｔ１２は、直線部５１ａ４に支持される。
【００２７】
テープ巻芯の支持は、第２直線部５１ａ２や直線部５１ａ４のように、テープの巻芯幅方向に対して平行な直線状に形成される。従って、第２直線部５１ａ２及び直線部５１ａ４は、巻芯の内周面と線接触させることができるので、テープを斜めに引き出してもテープ巻芯が支持板２２ａ（支持台）に寄らずに安定してテープ巻芯を支持することができる。そして、直線部５１ａ４や第２直線部５１ａ２におけるテープの支持は、隣接する凹円弧状部５１ａ３との接続部が段状とされることにより、回転するテープを確実にガイドすることができる。特に、テープ支持体本体５１の先端部は幅の狭いテープを支持することとなるので、段状の接続部と直線部５１ａ４との間で支持することで安定して確実にテープを支持することができる。
【００２８】
また、１８ｍｍと１５ｍｍのテープは、凹円弧状部５１ａ３により支持することで、例えば両者を直線状に支持した場合には、１８ｍｍ及び１５ｍｍのテープ巻芯を支持する直線部分が１．５ｍｍとなり、テープを引き出した際に、テープ巻芯の片方側が直線部から脱落することがあり、安定してテープ巻芯を支持することが難しい。しかしながら、隣接するテープ幅の差が小さい（本実施形態では３ｍｍ）テープの支持を凹円弧状部５１ａ３で支持するようにしたので、直線状に支持するよりも安定してテープ巻芯を支持することができる。
【００２９】
なお、凹円弧状部５１ａ３は、傾斜する直線状に形成することもできる。
【００３０】
（変形例１）
次に、図５（ａ），（ｂ）に基づいて、前述の実施形態におけるテープ支持体５０の変形例１を説明する。本変形例に係るテープ支持体５０Ａは、前述の実施形態におけるテープ支持体５０における巻芯支持部５１ａの巻芯幅調整部５１０の凹円弧状部５１ａ３に換えて、２つの直線部５１ａ３１，５１ａ３２としたテープ支持体本体５１Ａを有する。従って、巻芯支持部５１ａの巻芯幅調整部５１０は、階段状に形成され、各段には対応する１つのテープ幅のテープ巻芯が支持される。巻芯支持部５１ａの巻芯幅調整部５１０は、段状に形成されるためテープ巻芯の回転時のガイドを安定して行うことができる。
【００３１】
（変形例２）
次に、図６（ａ），（ｂ）に基づいて、前述の実施形態におけるテープ支持体５０の変形例２を説明する。本変形例に係るテープ支持体５０Ｂは、前述の実施形態におけるテープ支持体５０における巻芯支持部５１ａの直線基端部５１ａ１と直線部５１ａ４との間を凹円弧状部５１ａ２３としたものである。図６（ｂ）に示すように、巻芯幅調整部５１０の凹円弧状部５１ａ２３は、３種類の幅のテープ（２４ｍｍ幅のテープ巻芯Ｔ２４、１８ｍｍ幅のテープ巻芯Ｔ１８、１５ｍｍ幅のテープ巻芯Ｔ１５）を支持する。最小幅の１２ｍｍ幅とされるテープ１２は、巻芯幅調整部５１０の直線部５１ａ４により支持されるので、長期間安定してテープ巻芯を支持することができる。
【００３２】
以上説明した本発明の実施形態（変形例１，２を含む）におけるテープ支持体５０，５０Ａ，５０Ｂは、テープ支持体本体５１，５１Ａ，５１Ｂを備える。テープ支持体本体５１，５１Ａ，５１Ｂの巻芯支持部５１ａの基端部Ｇ１と先端部Ｇ２とを結ぶ直線Ｌ１は、先端部Ｇ２に向かうにつれ、前方に傾斜するように形成される。そして、巻芯支持部５１ａは、巻芯幅調整部５１０を備える。これにより、複数種類の幅のテープ巻芯に対応し、斜めに引き出しても支持台側に寄らないテープカッター用のテープ支持体５０，５０Ａ，５０Ｂ及びテープカッター１を提供することができる。
【００３３】
以上、本発明の本実施形態を説明したが、本発明は本実施形態によって限定されることはなく、種々の変更を加えて実施することができる。例えば、テープ支持体本体５１，５１Ａ，５１Ｂは、直線Ｌ１，Ｌ２共にテーパ状とされるが、巻芯支持部５１ａと対応する直線Ｌ１がテーパ状に形成されていればよい。具体的には、回転軸に対して垂直となり先端部を突き抜ける仮想線に対して直線Ｌ１は先端部Ｇ２に向かうにつれ仮想線に近づき、仮想線に対して直線Ｌ２は、先端部Ｇ２に向かうにつれ離れるような形状が考えられる。
また、例えば、刃台支持部３１の横断面が正円、多角形等の形状であってもよい。
【符号の説明】
【００３４】
１          テープカッター          １０        ベース部
１２        テープ                  ２０        テープ支持部
２１        ペン立穴部              ２２        テープ配置部
２２ａ      支持板                  ２２ｂ      面
２２ｃ      穴部                    ２４        テープ
３０        刃台部                  ３１        刃台支持部
３１ａ      内側凸曲面              ３１ｂ      外側凸曲面
３１ｂ１    外側先端部分            ３１ｂ２    両端側部分
３１ｃ      稜線                    ３２        刃
３３        刃台                    ３３ａ      内側凸曲面
３３ｂ      外側面                  ３３ｃ      端部
４０，４１  空間
５０，５０Ａ，５０Ｂ        テープ支持体
５１，５１Ａ，５１Ｂ        テープ支持体本体
５１ａ      巻芯支持部              ５１ａ１    直線基端部
５１ａ２    第２直線部              ５１ａ２３  凹円弧状部
５１ａ３    凹円弧状部              ５１ａ３１  直線部
５１ａ３２  直線部                  ５１ａ４    直線部
５１ｂ      縁部                    ５２        回動軸
５３        板バネ                  ５４        板バネ
５１０      巻芯幅調整部
Ｇ１        基端部                  Ｇ２        先端部
Ｌ１        直線                    Ｌ２        直線
Ｗ１        幅
【図１】
2020066526.tif 000003
【図２】
2020066526.tif 000004
【図３】
2020066526.tif 000005
【図４】
2020066526.tif 000006
【図５】
2020066526.tif 000007
【図６】
2020066526.tif 000008